(57)【要約】【課題】スピーカユニットを保護することができ、美観が向上された表示装置及びテレビジョン受信機を提供する。【解決手段】表示装置は、表示部とスピーカユニットとを備える表示装置において、筒状をなし、軸長方向が前記表示部の周縁に沿うように前記表示部に取り付けられ、前記スピーカユニットを収容する収容体と、前記収容体の周壁の周方向の一部を覆うように前記周壁に取り付けられるカバーと、該カバーの前記周方向の一端部に設けられた、一の向きの第１フックと、前記カバーの前記周方向の他端部に設けられた、前記一の向きとは異なる向きの第２フックと、前記周壁の前記一端部及び前記他端部に覆われる部分に設けられた第１係合孔及び第２係合孔とを備え、前記第１フック及び前記第２フックは前記第１係合孔及び前記第２係合孔を通して前記収容体の内部に挿入され、前記第１係合孔及び前記第２係合孔の開口周縁部に係合することを特徴とする。【選択図】図１４
2018148372.tif 000002
【特許請求の範囲】
【請求項１】
正面に表示面を有する表示部と、
スピーカ及び該スピーカを収容する筒状のエンクロージャを有し、該エンクロージャの軸長方向が前記表示部の周縁に沿うスピーカユニットと
を備える表示装置において、
筒状をなし、軸長方向が前記表示部の周縁に沿うように前記表示部に取り付けられ、前記スピーカユニットを収容する収容体と、
前記収容体の周壁の周方向の一部を覆うように前記周壁に取り付けられるカバーと、
該カバーの前記周方向の一端部に設けられた、一の向きの第１フックと、
前記カバーの前記周方向の他端部に設けられた、前記一の向きとは異なる向きの第２フックと、
前記周壁の前記一端部及び前記他端部に覆われる部分に設けられた第１係合孔及び第２係合孔と
を備え、
前記第１フック及び前記第２フックは前記第１係合孔及び前記第２係合孔を通して前記収容体の内部に挿入され、前記第１係合孔及び前記第２係合孔の開口周縁部に係合することを特徴とする表示装置。
【請求項２】
前記周壁は、
前記スピーカが出力した音声を通す通過孔、及び前記第１係合孔が設けられ、前記表示部に隣り合い、前記表示面に沿う方向に延びる板状をなす第１壁部と、
前記通過孔、及び前記第２係合孔が設けられ、前記表示部の背面側に傾斜するようにして前記第１壁部の前記表示部とは逆側に連続する板状をなす第２壁部と
を有し、
前記カバーは、
前記スピーカが出力した音声を通す通過口を有し、該通過口が、前記第１壁部に設けられた前記通過孔に対向するように前記第１壁部を覆い、前記第１フックが設けられた第１被覆板と、
前記通過口を有し、該通過口が、前記第２壁部に設けられた前記通過孔に対向するように前記第２壁部を覆い、前記第２フックが設けられた第２被覆板と、
前記通過口を覆うように前記第１被覆板及び前記第２被覆板に保持されたネットと
を有することを特徴とする請求項１に記載の表示装置。
【請求項３】
前記第１壁部の内面側における前記第１係合孔の開口周縁部は、前記第１壁部の厚み方向に突出する凸状部を有し、
前記第１フックは、
前記第１被覆板から前記厚み方向に突出する一の突片と、
該一の突片の先端部から前記第１壁部に沿う方向に交差する方向に突出し、前記開口周縁部に前記厚み方向に係合する他の突片と、
該他の突片から前記一の突片の突出方向の逆方向に突出し、前記凸状部に前記他の突片の突出方向の逆方向に係合する凸状の爪部と
を有することを特徴とする請求項２に記載の表示装置。
【請求項４】
前記第２壁部の内面側における前記第２係合孔の開口周縁部は、前記第１壁部に沿う係合面を有し、
前記第２フックは、
前記第２被覆板から前記第１壁部の厚み方向に突出する一の突片と、
該一の突片の先端部から前記第１壁部に沿う方向に突出し、前記係合面に前記一の突片の突出方向の逆方向に係合する他の突片と
を有することを特徴とする請求項２又は３に記載の表示装置。
【請求項５】
前記第２係合孔の開口量は、前記表示部の周縁に沿う方向に前記係合面に近いほど小さいことを特徴とする請求項４に記載の表示装置。
【請求項６】
請求項１から５の何れかひとつに記載の表示装置と、
テレビジョン放送を受信する受信部と
を備え、
該受信部にて受信したテレビジョン放送に基づいて、前記表示装置に映像を表示することを特徴とするテレビジョン受信機。
【発明の詳細な説明】
【技術分野】
【０００１】
本発明は、表示部とスピーカユニットとを備える表示装置及びテレビジョン受信機に関する。
【背景技術】
【０００２】
従来、映像を表示する表示部と音声を出力するスピーカユニットとを備える表示装置が用いられている（例えば特許文献１参照）。
特許文献１に記載の表示装置の場合、２つのスピーカユニットを含む無指向性のスピーカシステムが、表示部に取り付けられている。各スピーカユニットは、スピーカと、円筒状のエンクロージャとを有する。スピーカは、スピーカの音声出力面がエンクロージャの外側に向くようにして、エンクロージャの長手方向の一端部に収容されている。２つのスピーカユニットは、音声出力面同士が向かい合い、エンクロージャ同士が同軸になるようにして、連結されている。
【０００３】
スピーカシステムは、２つのスピーカネットを備える。各スピーカネットは半円筒状をなし、２つのエンクロージャ夫々の長手方向の他端部に亘るようにして２つのエンクロージャに取り付けられる。２つのスピーカネットは、２つのエンクロージャの間の空隙を覆うことによって、２つのスピーカを保護する。
【０００４】
一方、特許文献２に記載のスピーカネットは、枠体と、枠体の開口を覆うネットとを有する。枠体には、複数の突柱が同じ向きに突設される。スピーカユニットは、スピーカが収容された箱状のエンクロージャを有する。エンクロージャの一面には、スピーカユニットが出力した音声をエンクロージャの外部へ通すための開口が設けられる。エンクロージャの開口の周囲には、複数の孔部が設けられる。スピーカネットは、各突柱が孔部に嵌め入れられることによってエンクロージャの開口を覆い、スピーカを保護する。
【先行技術文献】
【特許文献】
【０００５】
【特許文献１】特開２０１４−１０７７５１号公報
【特許文献２】特開平５−２６８６８７号公報
【発明の概要】
【発明が解決しようとする課題】
【０００６】
しかしながら、特許文献１に記載の表示装置の場合、スピーカシステムが直接的に表示部に取り付けられるので、スピーカユニットを保護することができない。また、特許文献１にはスピーカネットをエンクロージャに取り付ける手段についての詳細な記載がない。
一方、特許文献２に記載のスピーカネットの場合、突柱が孔部に嵌め入れられる方向とは逆方向の外力がスピーカネットに加えられたとき、突柱が孔部から引き出され、スピーカネットとエンクロージャとの間に隙間が生じる。このようなスピーカユニットを表示部に取り付けた場合、スピーカネットとエンクロージャとの間に生じた隙間が、表示装置の美観を損なう虞がある。
【０００７】
本発明は斯かる事情に鑑みてなされたものであり、その主たる目的は、スピーカユニットを保護することができ、美観が向上された表示装置及びテレビジョン受信機を提供することにある。
【課題を解決するための手段】
【０００８】
本実施の形態に係る表示装置は、正面に表示面を有する表示部と、スピーカ及び該スピーカを収容する筒状のエンクロージャを有し、該エンクロージャの軸長方向が前記表示部の周縁に沿うスピーカユニットとを備える表示装置において、筒状をなし、軸長方向が前記表示部の周縁に沿うように前記表示部に取り付けられ、前記スピーカユニットを収容する収容体と、前記収容体の周壁の周方向の一部を覆うように前記周壁に取り付けられるカバーと、該カバーの前記周方向の一端部に設けられた、一の向きの第１フックと、前記カバーの前記周方向の他端部に設けられた、前記一の向きとは異なる向きの第２フックと、前記周壁の前記一端部及び前記他端部に覆われる部分に設けられた第１係合孔及び第２係合孔とを備え、前記第１フック及び前記第２フックは前記第１係合孔及び前記第２係合孔を通して前記収容体の内部に挿入され、前記第１係合孔及び前記第２係合孔の開口周縁部に係合することを特徴とする。
【０００９】
本実施の形態に係る表示装置は、前記周壁は、前記スピーカが出力した音声を通す通過孔、及び前記第１係合孔が設けられ、前記表示部に隣り合い、前記表示面に沿う方向に延びる板状をなす第１壁部と、前記通過孔、及び前記第２係合孔が設けられ、前記表示部の背面側に傾斜するようにして前記第１壁部の前記表示部とは逆側に連続する板状をなす第２壁部とを有し、前記カバーは、前記スピーカが出力した音声を通す通過口を有し、該通過口が、前記第１壁部に設けられた前記通過孔に対向するように前記第１壁部を覆い、前記第１フックが設けられた第１被覆板と、前記通過口を有し、該通過口が、前記第２壁部に設けられた前記通過孔に対向するように前記第２壁部を覆い、前記第２フックが設けられた第２被覆板と、前記通過口を覆うように前記第１被覆板及び前記第２被覆板に保持されたネットとを有することを特徴とする。
【００１０】
本実施の形態に係る表示装置は、前記第１壁部の内面側における前記第１係合孔の開口周縁部は、前記第１壁部の厚み方向に突出する凸状部を有し、前記第１フックは、前記第１被覆板から前記厚み方向に突出する一の突片と、該一の突片の先端部から前記第１壁部に沿う方向に交差する方向に突出し、前記開口周縁部に前記厚み方向に係合する他の突片と、該他の突片から前記一の突片の突出方向の逆方向に突出し、前記凸状部に前記他の突片の突出方向の逆方向に係合する凸状の爪部とを有することを特徴とする。
【００１１】
本実施の形態に係る表示装置は、前記第２壁部の内面側における前記第２係合孔の開口周縁部は、前記第１壁部に沿う係合面を有し、前記第２フックは、前記第２被覆板から前記第１壁部の厚み方向に突出する一の突片と、該一の突片の先端部から前記第１壁部に沿う方向に突出し、前記係合面に前記一の突片の突出方向の逆方向に係合する他の突片とを有することを特徴とする。
【００１２】
本実施の形態に係る表示装置は、前記第２係合孔の開口量は、前記表示部の周縁に沿う方向に前記係合面に近いほど小さいことを特徴とする。
【００１３】
本実施の形態に係るテレビジョン受信機は、本実施の形態に係る表示装置と、テレビジョン放送を受信する受信部とを備え、該受信部にて受信したテレビジョン放送に基づいて、前記表示装置に映像を表示することを特徴とする。
【発明の効果】
【００１４】
本実施の形態の表示装置及びテレビジョン受信機による場合、スピーカユニットを保護することができ、表示装置及びテレビジョン受信機の美観を向上させることができる。
【図面の簡単な説明】
【００１５】
【図１】実施の形態に係るテレビジョン受信機が備える表示装置を正面側から見た斜視図である。
【図２】表示装置を背面側から見た斜視図である。
【図３】表示装置の分解斜視図である。
【図４】表示装置の断面図である。
【図５】表示装置が備えるフロントカバーを正面側から見た斜視図である。
【図６】フロントカバーを背面側から見た斜視図である。
【図７】フロントカバーを背面側から見た拡大斜視図である。
【図８】表示装置が備えるリアカバーを正面側から見た斜視図である。
【図９】リアカバーを背面側から見た斜視図である。
【図１０】表示装置が備えるカバーを正面側から見た斜視図である。
【図１１】カバーを背面側から見た斜視図である。
【図１２】カバーを背面側から見た拡大斜視図である。
【図１３】フロントカバーにカバーを取り付ける手順（挿入時）を説明するための斜視図である。
【図１４】フロントカバーにカバーを取り付ける手順（係合時）を説明するための斜視図である。
【発明を実施するための形態】
【００１６】
以下、本発明を、その実施の形態を示す図面に基づいて詳述する。
【００１７】
図１は、実施の形態に係るテレビジョン受信機が備える表示装置を正面側から見た斜視図である。図２は、表示装置を背面側から見た斜視図である。
図中１はテレビジョン受信機であり、テレビジョン受信機１は、受信部１１、信号処理部１２、及び表示装置２を備える。
【００１８】
受信部１１は、受信回路が実装された回路基板である。受信部１１は、図示しないアンテナを介して外部からテレビジョン放送を受信し、受信したテレビジョン放送に基づく放送信号を出力する。
信号処理部１２は、信号処理回路が実装された回路基板である。信号処理部１２は、受信部１１が出力した放送信号に所定の信号処理を施すことによって、映像データを出力する。
受信部１１及び信号処理部１２は表示装置２に内蔵される。なお、受信部１１及び信号処理部１２は、表示装置２に外付けされてもよい。
【００１９】
図３は、表示装置２の分解斜視図である。
図４は、表示装置２の断面図である。
表示装置２は、表示部２１、ミドルキャビネット（枠体）２２、及び２つのスピーカユニット２３，２３を備える。
表示部２１は、一方向に長い矩形板状をなす。表示部２１の一面（非端面）は、表示面２１ａである。表示面２１ａには、信号処理部１２が出力した映像データに基づく映像が表示される。図４には、表示部２１の一方の短辺部の近傍において、表示面２１ａに直交し、且つ表示部２１の長辺に沿う面で切断した表示装置２の断面が示されている。
【００２０】
表示部２１は、液晶表示パネル２１１及びバックライトシャーシ２１２を含む液晶表示ユニットである。液晶表示パネル２１１は表示面２１ａを有する。バックライトシャーシ２１２は皿状をなし、液晶表示パネル２１１を照明するバックライト装置を収容する。また、バックライトシャーシ２１２は、液晶表示パネル２１１を表示面２１ａの裏側から覆う。
テレビジョン受信機１は、表示部２１の厚み方向が前後方向であり、表示部２１の長辺部が左右方向に延び、表示部２１の短辺部が上下方向に延びるようにして使用される。表示部２１の表示面２１ａは前側（正面側）に向けられる。
【００２１】
ミドルキャビネット２２は矩形枠状をなす。ミドルキャビネット２２は、表示部２１の周縁部を全周に亘って表示部２１の後側（背面側）から覆うように、表示部２１に取り付けられる。ミドルキャビネット２２を構成する２つの縦枠２２１，２２１は表示部２１の２つの短辺部を覆い、ミドルキャビネット２２を構成する２つの横枠は表示部２１の２つの長辺部を覆う。
【００２２】
各スピーカユニット２３は円柱型のスピーカユニットである。スピーカユニット２３は２つのエンクロージャ２３１，２３１及び２つのスピーカ２３２，２３２を有する。
各エンクロージャ２３１は有底円筒状をなす。エンクロージャ２３１の長手方向の一端部には、スピーカ２３２が収容される。スピーカ２３２の音声出力面は、エンクロージャ２３１の外側に向き、エンクロージャ２３１の開口を閉鎖する。エンクロージャ２３１，２３１は、スピーカ２３２，２３２の音声出力面同士が向かい合い、エンクロージャ２３１，２３１同士が同軸になるよう連結されている。
【００２３】
図１及び図２に示すように、表示装置２は、２つの収容体３，３を備える。各収容体３は、軸長方向の両端が閉鎖された筒状をなす。収容体３，３は、各収容体３の軸長方向がミドルキャビネット２２の縦枠２２１，２２１に沿うようにして、ミドルキャビネット２２に設けられる。
収容体３には、スピーカユニット２３の軸長方向が収容体３の軸長方向に沿うようにして、スピーカユニット２３が収容される（図４参照）。つまり、スピーカユニット２３，２３は表示部２１の左右両側に配される。
【００２４】
図３及び図４に示すように、収容体３は、フロントカバー３１及びリアカバー３２を有する。フロントカバー３１は、収容体３の周壁の一部（具体的には概ね前半分）を構成する部材である。リアカバー３２は、収容体３の周壁の残部（具体的には概ね後半分）を構成する部材である。
【００２５】
図５は、表示装置２が備えるフロントカバー３１を正面側から見た斜視図である。図６は、フロントカバー３１を背面側から見た斜視図である。図７は、フロントカバー３１を背面側から見た拡大斜視図である。図５〜図７は、表示面２１ａに向かって左側のフロントカバー３１を示す。
図４〜図７に示すように、フロントカバー３１は壁部３１１〜３１３を有する。壁部３１１〜３１３夫々は、一方向に長い矩形平板状をなす。壁部３１１〜３１３夫々の長辺部は、収容体３の軸長方向に延びる。壁部３１１〜３１３は、ミドルキャビネット２２に近い方から、壁部３１３、壁部３１１（第１壁部）、及び壁部３１２（第２壁部）の順に、収容体３の周方向に並ぶ。
【００２６】
壁部３１３の一方の長辺部は、ミドルキャビネット２２の縦枠２２１に一体に設けられる。つまり、壁部３１３は、収容体３の軸長方向に亘り全体的にミドルキャビネット２２の縦枠２２１に連続する。壁部３１３の他方の長辺部と壁部３１１の一方の長辺部とは一体である。壁部３１１の他方の長辺部と壁部３１２の一方の長辺部とは一体である。壁部３１２の他方の長辺部には、複数の係合部３１４，３１４，…が壁部３１２の長辺に沿って並設される（図６参照）。各係合部３１４は矩形状の貫通孔である。
【００２７】
ミドルキャビネット２２の縦枠２２１とフロントカバー３１の壁部３１１とは、壁部３１３に垂直に、且つ壁部３１３の短辺方向の両端部から互いに逆方向に突出する（図４参照）。壁部３１２は、壁部３１１と壁部３１２とが鈍角を形成するようにして、壁部３１１から突出する。壁部３１１から壁部３１２，３１３夫々が突出する側は、互いに同じ側である。
【００２８】
壁部３１１の長手方向の中央部、及び壁部３１１の長手方向の両端部には、３つの通過孔群３３１，３３１，３３１が設けられている（図５参照）。各通過孔群３３１は、互いに接近配置された複数の通過孔からなる。同様に、壁部３１２には３つの通過孔群３３２，３３２，３３２が設けられている（図５及び図６参照）。壁部３１２の通過孔群３３２，３３２，３３２は、壁部３１１の通過孔群３３１，３３１，３３１に隣り合う。各通過孔群３３２は、互いに接近配置された複数の通過孔からなる。
【００２９】
ミドルキャビネット２２とフロントカバー３１，３１との境界部分を補強するために、補強部材２４が用いられることが望ましい（図６及び図７参照）。本実施の形態においては、表示装置２はフロントカバー３１毎に２つの補強部材２４，２４を備える。各補強部材２４は一方向に長い平板状をなす。補強部材２４は、補強部材２４の長手方向がミドルキャビネット２２の横枠に沿うようにして、ミドルキャビネット２２の横枠からフロントカバー３１の長手方向の端部に亘って配される。
【００３０】
図８は、表示装置２が備えるリアカバー３２を正面側から見た斜視図である。図９は、リアカバー３２を背面側から見た斜視図である。図８及び図９は、表示面２１ａに向かって左側のリアカバー３２を示す。
図４、図８、及び図９に示すように、リアカバー３２は半円筒状をなす。
リアカバー３２の長手方向の中央部には、通過孔群３２１が設けられている。
リアカバー３２は、リアカバー３２の軸長方向が収容体３の軸長方向に延び、リアカバー３２の周方向の両端部がフロントカバー３１の壁部３１２，３１３に対向するようにして、フロントカバー３１に取り付けられる。
【００３１】
リアカバー３２の周方向の両端部の内、フロントカバー３１の壁部３１２に対向する方には、係合部３２２，３２２，…がリアカバー３２の軸長方向に沿って並設される。リアカバー３２の係合部３２２，３２２，…の配置位置とフロントカバー３１の係合部３１４，３１４，…の配置位置とは互いに対応している。
各係合部３２２はフック状をなす。係合部３２２は、フロントカバー３１の内側から係合部３１４に表示部２１の厚み方向に挿入されて、係合部３１４の内面及び係合部３１４の開口周縁部に前後方向に係合する。
【００３２】
リアカバー３２の周方向の両端部の内、リアカバー３２の壁部３１３に対向する方には、固定片３２３が設けられる。固定片３２３は平板状をなす。固定片３２３は、リアカバー３２の外周面からリアカバー３２の外側に垂直に延出する。
【００３３】
次に、スピーカユニット２３，２３の収容体３，３への収容について説明する。
まず、ミドルキャビネット２２が、例えば表示部２１のバックライトシャーシ２１２にネジ留めされることによって、表示部２１に取り付けられる。
また、補強部材２４，２４，…の取り付けが行なわれる。
各補強部材２４は、例えば補強部材２４の長手方向の一端部がミドルキャビネット２２の横枠と共に表示部２１のバックライトシャーシ２１２に共締めされ、補強部材２４の長手方向の他端部がフロントカバー３１にネジ留めされることによって、ミドルキャビネット２２及びフロントカバー３１に取り付けられる。
【００３４】
次に、フロントカバー３１，３１にスピーカユニット２３，２３が取り付けられる。
スピーカユニット２３には、２つの取付部２３３，２３３が設けられる（図３参照）。各取付部２３３は、スピーカユニット２３のエンクロージャ２３１の底面に、エンクロージャ２３１の軸長方向に突設される。取付部２３３には貫通孔が設けられる。
一方、各フロントカバー３１の内面には、ボス３１５，３１５が突設される（図６参照）。ボス３１５，３１５はフロントカバー３１の長手方向の両端部付近に位置している。各ボス３１５の内周面には雌ネジが形成される。
取付部２３３，２３３は、取付部２３３，２３３夫々の貫通孔を通してフロントカバー３１のボス３１５，３１５にネジ留めされる。この結果、スピーカユニット２３の軸長方向とフロントカバー３１の長手方向とが一致する。
【００３５】
次いで、フロントカバー３１，３１にリアカバー３２，３２が取り付けられる。
各リアカバー３２は、リアカバー３２の係合部３２２，３２２，…がフロントカバー３１の係合部３１４，３１４，…に係合することによって、フロントカバー３１に取り付けられる。係合部３１４，３１４，…と係合部３２２，３２２，…との係合によって、フロントカバー３１にリアカバー３２を取り付けることは容易である。
【００３６】
更に、リアカバー３２，３２の固定片３２３，３２３が、ミドルキャビネット２２と共に表示部２１に固定される。
具体的には、リアカバー３２の固定片３２３が、ミドルキャビネット２２の縦枠２２１と共に、表示部２１のバックライトシャーシ２１２に共締めされる。
【００３７】
以上の結果、収容体３が形成される。スピーカユニット２３は、エンクロージャ２３１，２３１の軸長方向が表示部２１の短辺に沿うように、また、取付部２３３，２３３を除くスピーカユニット２３が収容体３から離隔するようにして、収容体３に収容される。スピーカユニット２３は、フロントカバー３１に前側から表示部２１の短辺方向に亘り全体的に覆われ、リアカバー３２に後側から表示部２１の短辺方向に亘り全体的に覆われる。収容体３のフロントカバー３１が有する壁部３１１は、表示部２１に隣り合い、表示部２１の表示面２１ａに沿う方向に延びる。壁部３１２は、後側に傾斜するようにして壁部３１１の表示部２１とは逆側に連続する。
【００３８】
ミドルキャビネット２２はネジ留めによって表示部２１に固定される。フロントカバー３１，３１夫々はミドルキャビネット２２に一体に設けられる。リアカバー３２，３２は係合部３１４，３１４，…と係合部３２２，３２２，…との係合によってフロントカバー３１，３１に取り付けられ、更に、リアカバー３２，３２から延出する固定片３２３，３２３が、ミドルキャビネット２２と共にネジ留めによって表示部２１に固定される。つまり、リアカバー３２，３２はフロントカバー３１，３１及び表示部２１の両方によって支えられる。以上の結果、収容体３，３の脱落が防止される。
【００３９】
図１及び図３に示すように、表示装置２は、２つのカバー４，４を更に備える。カバー４，４は、収容体３，３のフロントカバー３１，３１に取り付けられる（図４参照）。
ここで、カバー４の取り付けに関連するフロントカバー３１の構成について説明する（図５〜図７参照）。
各フロントカバー３１の壁部３１１の壁部３１３側の長辺部には、複数の第１係合孔３４，３４，…が壁部３１１の長辺に沿って並設される。各第１係合孔３４は矩形状をなす。
第１係合孔３４の開口周縁部は凸状部３４１を有する。凸状部３４１は、壁部３１１の内面から壁部３１１の厚み方向に突出している。また、凸状部３４１は、第１係合孔３４の下辺に沿う凸条状をなし、先端側ほど幅が狭い。凸状部３４１は直角台形状の断面を有する。凸状部３４１の傾斜面は第１係合孔３４側に向く。
【００４０】
フロントカバー３１の壁部３１２には、複数の第２係合孔３５，３５，…が設けられている。
第２係合孔３５，３５，…は、壁部３１２の係合部３１４，３１４，…が設けられている方の長辺部に、上下方向に並設される。各第２係合孔３５の開口量は、上側が大きく、下側が小さい。図７に示す第２係合孔３５は、開口量が大きい矩形状の貫通孔と開口量が小さい矩形状の貫通孔とが上下に隣接したような形状をなす。
第２係合孔３５の開口周縁部は、係合面３５１を有する。係合面３５１は、壁部３１２の内面側に位置し、壁部３１１に沿う平面である。係合面３５１は、第２係合孔３５の下辺部と、第２係合孔３５の下辺部に連続する２辺部の内、壁部３１１から遠い方との角部に位置している。
【００４１】
図１０は、表示装置２が備えるカバー４を正面側から見た斜視図である。図１１は、カバー４を背面側から見た斜視図である。図１２は、カバー４を背面側から見た拡大斜視図である。図１０〜図１２は、表示面２１ａに向かって左側のカバー４を示す。
各カバー４は、一方向に長い板状をなす。カバー４は被覆板４１，４２を有する。
被覆板４１，４２夫々は、一方向に長い矩形平板状をなす。被覆板４１，４２夫々の長辺部は、カバー４の長手方向に延びる。被覆板４１，４２夫々の一方の長辺部は一体である。被覆板４１（第１被覆板）は、被覆板４１と被覆板４２（第２被覆板）とが鈍角を形成するようにして、被覆板４２に連続する。
【００４２】
被覆板４１には、３つの通過口群４３１，４３１，４３１が設けられている。通過口群４３１，４３１，４３１は、被覆板４１の長手方向の中央部及び被覆板４１の長手方向の両端部に配されている。各通過口群４３１は、互いに接近配置された複数の通過口からなる。同様に、被覆板４２には３つの通過口群４３２，４３２，４３２が設けられている。壁部３１２の通過口群４３２，４３２，４３２は、被覆板４１の通過口群４３１，４３１，４３１に隣り合う。各通過口群４３２は、互いに接近配置された複数の通過口からなる。通過口群４３１〜４３２の配置位置は、フロントカバー３１の通過孔群３３１〜３３２の配置位置に対応する。
【００４３】
被覆板４１の長辺部の他方（被覆板４２の長辺部に一体ではない方）には、複数の第１フック４４，４４，…が、被覆板４１の長辺に沿って並設される。各第１フック４４は突片４４１，４４２を有するＬ字フック状をなす。
突片４４１，４４２夫々は矩形片であり、突片４４１，４４２の少なくとも一方は、それが可撓性を有する程度に薄い。
突片４４１（一の突片）は、被覆板４１の内面から被覆板４１の厚み方向に突出する。
突片４４２（他の突片）は、突片４４１の先端部から被覆板４１の長手方向に突出する。全ての突片４４２，４４２，…の突出方向は同じ向きである。
【００４４】
第１フック４４は凸状の爪部４４３を更に有する。爪部４４３は、突片４４２の先端部から突片４４１の突出方向の逆方向に突出する。また、爪部４４３は、突片４４１，４４２夫々の突出方向に直交する方向に延びる凸条状をなし、先端側ほど幅が狭い。爪部４４３は、直角三角形状の断面を有し、爪部４４３の先端部に直角三角形の一方の鋭角が位置する。爪部４４３の傾斜面は、突片４４１の逆側に向く。
【００４５】
被覆板４２の長辺部の他方（被覆板４１の長辺部に一体ではない方）には、複数の第２フック４５，４５，…が被覆板４２の長辺に沿って並設される。各第２フック４５は突片４５１，４５２を有するＬ字フック状をなす。
突片４５１（一の突片）は矩形板状をなし、被覆板４２の内面から被覆板４１の厚み方向に突出する。故に、突片４５１は、被覆板４２に対して傾斜する。
突片４５２（他の突片）は、突片４５１の先端部に設けられている。突片４５２は矩形片状をなし、突片４５１から被覆板４１の短手方向に、且つ被覆板４１から離反する向きに突出する。
【００４６】
第２フック４５の突片４５１の突出方向は第１フック４４の突片４４１の突出方向と同じ向きであるが、突片４５１の面方向は突片４４１の面方向に直交する向きである。第２フック４５の突片４５２の突出方向及び第１フック４４の突片４４２の突出方向は、何れも被覆板４１に沿う向きであるが、前者は被覆板４１の短辺に沿う向きであり、後者は被覆板４１の長辺に沿う向きである。つまり、第１フック４４の向きと第２フック４５の向きとは異なる。
【００４７】
図４に示すように、カバー４はネット４６を保持する。ネット４６は、カバー４の外面を全面的に覆い、ネット４６の周縁部がカバー４の内面に固定（例えば溶着）される。ネット４６は、全ての通過口群４３１〜４３２を覆う。図１、図３、及び図１０〜図１２におけるネット４６の図示は省略されている.
【００４８】
図１３及び図１４は、フロントカバー３１にカバー４を取り付ける手順を説明するための斜視図である。
カバー４は、ミドルキャビネット２２が表示部２１に取り付けられる前に、フロントカバー３１に取り付けられる。
作業者は、第１フック４４，４４，…を第１係合孔３４，３４，…に挿入し、第２フック４５，４５，…を第２係合孔３５，３５，…の開口量が大きい部分に挿入する。このとき、作業者は、カバー４の長手方向とフロントカバー３１の長手方向とが一致し、カバー４の被覆板４１の内面がフロントカバー３１の壁部３１１の外面に沿い、カバー４の被覆板４２の内面がフロントカバー３１の壁部３１２の外面に沿うようにする。
【００４９】
第１フック４４，４４，…及び第２フック４５，４５，…が第１係合孔３４，３４，…及び第２係合孔３５，３５，…に挿入された場合（図１３参照）、被覆板４１，４２の内面が壁部３１１，３１２の外面に接触する（図４参照）。
この後、作業者は、第２フック４５，４５，…が第２係合孔３５，３５，…の開口量が小さい部分に挿入されるように、カバー４をカバー４の長手方向に移動させる。すると、カバー４は第１フック４４の突片４４２の突出方向に移動する。この結果、各第１フック４４の爪部４４３は、突片４４２の突出方向に凸状部３４１に接近し、接触する。一方、第２フック４５の突片４５２は、突片４４２の突出方向に係合面３５１に接近する。
【００５０】
更にカバー４が移動することよって、爪部４４３が凸状部３４１の先端部へ移動するように爪部４４３の傾斜面が凸状部３４１の傾斜面に摺動すると共に、第１フック４４の突片４４１又は突片４４２が撓む。爪部４４３が凸状部３４１の先端部に移動した場合、更にカバー４が移動することよって、爪部４４３は凸状部３４１を乗り越え、凸状部３４１に突片４４２の突出方向の逆方向に係合する。このとき、撓んでいた第１フック４４が元の形状に戻り、突片４４２と第１係合孔３４の開口周縁部とが被覆板４１の厚み方向（壁部３１１の厚み方向）に互いに係合する。一方、第２フック４５の突片４５２は、突片４５１の突出方向の逆方向に係合面３５１に係合する（図１４参照）。
【００５１】
第１フック４４が第１係合孔３４の開口周縁部に係合し、第２フック４５が第２係合孔３５の開口周縁部に係合した場合、カバー４の通過口群４３１〜４３２とフロントカバー３１の通過孔群３３１〜３３２とが向かい合う。
第１フック４４（及び第２フック４５）と第１係合孔３４（及び第２係合孔３５）の開口周縁部との係合後、被覆板４１の長手方向の両端部は、壁部３１１の長手方向の両端部にネジ留めされる。このために、壁部３１１には２つの貫通孔３６，３６が設けられている。一方、被覆板４１の内面には、２つのボス４７，４７が突設されている。各ボス４７の内周面には雌ネジが形成される。壁部３１１及び被覆板４１は、貫通孔３６，３６を貫通したネジがボス４７，４７に留められることによって、互いに固定される。
カバー４，４のフロントカバー３１，３１への取り付け後、ミドルキャビネット２２が表示部２１に取り付けられ、スピーカユニット２３，２３が収容体３，３に収容される。
【００５２】
以上の結果、カバー４はフロントカバー３１（収容体３の周壁の周方向の一部）を覆う。第１フック４４及び第２フック４５は、カバー４の、収容体３の周方向の一端部及び他端部に位置する。カバー４は、第１フック４４，４４，…が第１係合孔３４，３４，…を通して収容体３に挿入され、第１係合孔３４，３４，…の開口周縁部に係合すると共に、第２フック４５，４５，…が第２係合孔３５，３５，…を通して収容体３に挿入され、第２係合孔３５，３５，…の開口周縁部に係合することによって、フロントカバー３１に取り付けられる。第１フック４４の向きと第２フック４５の向きとは異なる。
【００５３】
故に、第１フック４４，４４，…が第１係合孔３４，３４，…に挿入される方向とは逆方向の外力、又は、第２フック４５，４５，…が第２係合孔３５，３５，…に挿入される方向とは逆方向の外力がカバー４に加えられた場合であっても、第１フック４４，４４，…が第１係合孔３４，３４，…から引き出されたり第２フック４５，４５，…が第２係合孔３５，３５，…から引き出されたりする虞はない。従って、カバー４とフロントカバー３１との間に隙間が生じることはない。
【００５４】
各第１フック４４の突片４４２と第１係合孔３４の開口周縁部とはフロントカバー３１の壁部３１１の厚み方向（前後方向）に係合し、第１フック４４の爪部４４３と第１係合孔３４の開口周縁部が有する凸状部３４１とが壁部３１１に沿う方向（上下方向）に係合する。故に、第１フック４４と第１係合孔３４の開口周縁部との係合が無用に解除されることが抑制される。
爪部４４３と凸状部３４１との係合が解除された後で、カバー４が突片４４２の突出方向の逆方向に移動し、更に第１係合孔３４及び第２係合孔３５から第１フック４４及び第２フックが引き抜かれない限り、カバー４がフロントカバー３１から脱落する虞はない。
【００５５】
第２フック４５の突片４５２と第２係合孔３５の開口周縁部が有する係合面３５１とは、壁部３１１の厚み方向（前後方向）に係合する。第２フック４５の突片４５１は、フロントカバー３１の壁部３１２から壁部３１１の厚み方向に突出し、壁部３１２に直交する方向には突出しない。故に、第２フック４５の、壁部３１２から収容体３の内部への突出量を低減することができる。従って、収容体３の内部に突出した第２フック４５がスピーカユニット２３に干渉することが抑制される。
【００５６】
本実施の形態では、カバー４の第１フック４４，４４，…及び第２フック４５，４５，…夫々の基端部近傍には、肉抜き孔が形成されている。しかしながら、カバー４の外面を全面的に覆うネット４６によって、肉抜き孔は目隠しされる。
【００５７】
また、本実施の形態では、被覆板４１の第１フック４４，４４，…は、被覆板４２の第２フック４５，４５，…に、カバー４の短手方向に概ね隣り合う。故に、カバー４をフロントカバー３１に取り付ける場合に、各第１フック４４の爪部４４３を凸状部３４１に係合させることによって、この第１フック４４に隣り合う第２フック４５の突片４５２を係合面３５１に容易に係合させることができる。
【００５８】
表示装置２は、リアキャビネット２５を更に備える。ただし、図４におけるリアキャビネット２５の図示は省略されている。
リアキャビネット２５は矩形皿状をなす。リアキャビネット２５は、リアキャビネット２５の内面が表示部２１の後面に向くようにして、表示部２１の背面側を覆う。リアキャビネット２５は、表示部２１とリアカバー３２，３２夫々との境界部分も覆う。
【００５９】
表示装置２は、２つの装飾部材２６，２６を更に備える。一方の装飾部材２６は、表示部２１の上辺部から収容体３，３夫々の上部までを覆う。他方の装飾部材２６は、表示部２１の下辺部から収容体３，３夫々の下部までを覆う。
【００６０】
以上のような表示装置２及びテレビジョン受信機１の場合、スピーカユニット２３が収容体３（フロントカバー３１とリアカバー３２との間）に収容されるので、スピーカユニット２３を保護することができる。
また、第１フック４４（及び第２フック４５）と第１係合孔３４（及び第２係合孔３５）の開口周縁部との係合により、カバー４とフロントカバー３１との間に見苦しい隙間は生じない。従って、表示装置２及びテレビジョン受信機１の美観を向上させることができる。
【００６１】
スピーカユニット２３のスピーカ２３２，２３２から出力された音声は、通過孔群３３１〜３３２と通過口群４３１〜４３２とを通って、表示装置２の前側に伝わる。また、スピーカユニット２３から出力された音声は、通過孔群３２１を通って、表示装置２の後側に伝わる。
ネット４６を有するカバー４は、スピーカネットとして機能する。ネット４６が通過口群４３１〜４３２及び通過孔群３３１〜３３２を覆うので、スピーカ２３２，２３２が出力した音声を通しつつスピーカユニット２３を保護することができる。
【００６２】
最後に、実施の形態についてまとめる。
【００６３】
本実施の形態に係る表示装置２は、正面に表示面２１ａを有する表示部２１と、スピーカ２３２及び該スピーカ２３２を収容する筒状のエンクロージャ２３１を有し、該エンクロージャ２３１の軸長方向が前記表示部２１の周縁に沿うスピーカユニット２３とを備える表示装置２において、筒状をなし、軸長方向が前記表示部２１の周縁に沿うように前記表示部２１に取り付けられ、前記スピーカユニット２３を収容する収容体３と、前記収容体３の周壁の周方向の一部（フロントカバー３１）を覆うように前記周壁に取り付けられるカバー４と、該カバー４の前記周方向の一端部に設けられた、一の向きの第１フック４４と、前記カバー４の前記周方向の他端部に設けられた、前記一の向きとは異なる向きの第２フック４５と、前記周壁の前記一端部及び前記他端部に覆われる部分に設けられた第１係合孔３４及び第２係合孔３５とを備え、前記第１フック４４及び前記第２フック４５は前記第１係合孔３４及び前記第２係合孔３５を通して前記収容体３の内部に挿入され、前記第１係合孔３４及び前記第２係合孔３５の開口周縁部に係合することを特徴とする。
【００６４】
本実施の形態に係る表示装置２は、前記周壁は、前記スピーカ２３２が出力した音声を通す通過孔群３３１、及び前記第１係合孔３４が設けられ、前記表示部２１に隣り合い、前記表示面２１ａに沿う方向に延びる板状をなす壁部３１１と、前記通過孔群３３２、及び前記第２係合孔３５が設けられ、前記表示部２１の背面側に傾斜するようにして前記壁部３１１の前記表示部２１とは逆側に連続する板状をなす壁部３１２とを有し、前記カバー４は、前記スピーカ２３２が出力した音声を通す通過口群４３１を有し、該通過口群４３１が、前記壁部３１１に設けられた前記通過孔群３３１に対向するように前記壁部３１１を覆い、前記第１フック４４が設けられた被覆板４１と、前記通過口群４３２を有し、該通過口群４３２が、前記壁部３１２に設けられた前記通過孔群３３２に対向するように前記壁部３１２を覆い、前記第２フック４５が設けられた被覆板４２と、前記通過口群４３１，４３２を覆うように前記被覆板４１及び前記被覆板４２に保持されたネット４６とを有することを特徴とする。
【００６５】
本実施の形態に係る表示装置２は、前記壁部３１１の内面側における前記第１係合孔３４の開口周縁部は、前記壁部３１１の厚み方向に突出する凸状部３４１を有し、前記第１フック４４は、前記被覆板４１から前記厚み方向に突出する突片４４１と、該突片４４１の先端部から前記壁部３１１に沿う方向に交差する方向に突出し、前記開口周縁部に前記厚み方向に係合する突片４４２と、該突片４４２から前記突片４４１の突出方向の逆方向に突出し、前記凸状部３４１に前記突片４４２の突出方向の逆方向に係合する凸状の爪部４４３とを有することを特徴とする。
【００６６】
本実施の形態に係る表示装置２は、前記壁部３１２の内面側における前記第２係合孔３５の開口周縁部は、前記壁部３１１に沿う係合面３５１を有し、前記第２フック４５は、前記被覆板４２から前記壁部３１１の厚み方向に突出する突片４５１と、該突片４５１の先端部から前記壁部３１１に沿う方向に突出し、前記係合面３５１に前記突片４５１の突出方向の逆方向に係合する突片４５２とを有することを特徴とする。
【００６７】
本実施の形態に係る表示装置２は、前記第２係合孔３５の開口量は、前記表示部２１の周縁に沿う方向に前記係合面３５１に近いほど小さいことを特徴とする。
【００６８】
本実施の形態に係るは、本実施の形態に係る表示装置２と、テレビジョン放送を受信する受信部１１とを備え、該受信部１１にて受信したテレビジョン放送に基づいて、前記表示装置２に映像を表示することを特徴とする。
【００６９】
本実施の形態にあっては、スピーカユニットが筒状の収容体に収容されるので、スピーカユニットを保護することができる。
カバーは、収容体の周壁の周方向の一部を覆う。第１フック及び第２フックは、カバーの、収容体の周方向の一端部及び他端部に位置する。カバーは、第１フックが第１係合孔を通して収容体に挿入され、第１係合孔の開口周縁部に係合すると共に、第２フックが第２係合孔を通して収容体に挿入され、第２係合孔の開口周縁部に係合することによって、収容体の周壁に取り付けられる。第１フックの向きと第２フックの向きとは異なる。
【００７０】
故に、第１フックが第１係合孔に挿入される方向とは逆方向の外力、又は、第２フックが第２係合孔に挿入される方向とは逆方向の外力がカバーに加えられた場合であっても、第１フックが第１係合孔から引き出されたり第２フックが第２係合孔から引き出されたりする虞はない。従って、カバーと収容体の周壁との間に隙間が生じることはない。この結果、表示装置、更には表示装置を備えるテレビジョン受信機の美観を向上させることができる。
【００７１】
本実施の形態にあっては、ネットを有するカバーが、スピーカネットとして機能する。ネットが通過口及び通過孔を覆うので、スピーカが出力した音声を通しつつスピーカユニットを保護することができる。
【００７２】
本実施の形態にあっては、第１フックの他の突片と第１係合孔の開口周縁部とが第１壁部の厚み方向に係合し、第１フックの爪部と第１係合孔の開口周縁部が有する凸状部とが第１壁部に沿う方向に係合する。故に、第１フックと第１係合孔の開口周縁部との係合が無用に解除されることが抑制される。
【００７３】
本実施の形態にあっては、第２フックの他の突片と第２係合孔の開口周縁部が有する係合面とが第１壁部の厚み方向に係合する。
第２フックの一の突片は、収容体の第２壁部から第１壁部の厚み方向に突出し、収容体の第２壁部に直交する方向には突出しない。故に、第２フックの、収容体の第２壁部から収容体の内部への突出量を低減することができる。従って、収容体の内部に突出した第２フックがスピーカユニットに干渉することが抑制される。
【００７４】
本実施の形態にあっては、第２係合孔の開口量が大きい部分に挿入された第２フックが、第２係合孔の開口量が小さい部分に向けて、表示部の周縁に沿う方向に相対的に移動すれば、第２フックの他の突片と係合面とが互いに係合する。つまり、第２係合孔の形状によって、第２フックと第２係合孔の周縁部との係合を案内することができる。
【００７５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００７６】
１      テレビジョン受信機
１１    受信部
２      表示装置
２１    表示部
２１ａ  表示面
２３    スピーカユニット
２３１  エンクロージャ
２３２  スピーカ
３      収容体
３１    フロントカバー（収容体の周壁の周方向の一部）
３１１  壁部（第１壁部）
３１２  壁部（第２壁部）
３３１，３３２  通過孔群（通過孔）
３４    第１係合孔
３４１  凸状部
３５    第２係合孔
３５１  係合面
４      カバー
４１    被覆板（第１被覆板）
４２    被覆板（第２被覆板）
４３１，４３２  通過口群（通過口）
４４    第１フック
４４１  突片（一の突片）
４４２  突片（他の突片）
４４３  爪部
４５    第２フック
４５１  突片（一の突片）
４５２  突片（他の突片）
４６    ネット
【図１】
2018148372.tif 000003
【図２】
2018148372.tif 000004
【図３】
2018148372.tif 000005
【図４】
2018148372.tif 000006
【図５】
2018148372.tif 000007
【図６】
2018148372.tif 000008
【図７】
2018148372.tif 000009
【図８】
2018148372.tif 000010
【図９】
2018148372.tif 000011
【図１０】
2018148372.tif 000012
【図１１】
2018148372.tif 000013
【図１２】
2018148372.tif 000014
【図１３】
2018148372.tif 000015
【図１４】
2018148372.tif 000016